(57)【特許請求の範囲】
【請求項１】
踊り場を有する階段を備える３階以上の建物の空間構造であって、
最下階の床面から最上階の天井面までに渡って鉛直空間が形成され、該鉛直空間には、手摺部に沿って半透明の目隠し部材が設けられた前記階段が設けられ、
前記踊り場の階段昇降方向と平面視で平行する辺に連続する中間床部が前記鉛直空間内の少なくとも１階と２階の中間及び２階と３階の中間に設けられ、前記中間床部の間の高さは居室と略同一となるように設けられ、
前記中間床部と前記階段及び前記居室との間には手摺部が設けられるとともに、前記居室には前記中間床部に対して前記階段を挟む位置に手摺部に沿って半透明の目隠し部材が設けられた床面が設けられることを特徴とする建物の空間構造。
【請求項２】
前記鉛直空間には、最上階の床面から天井面までの間に中間床部が設けられることを特徴とする請求項１に記載の建物の空間構造。
【請求項３】
前記中間床部は、前記鉛直空間における取付け位置を変えることができる着脱手段を備えることを特徴とする請求項１又は請求項２に記載の建物の空間構造。
【請求項４】
前記踊り場及び該踊り場に連続する前記中間床部は、階高の略半分の高さに設置されることを特徴とする請求項１乃至請求項３のいずれか一項に記載の建物の空間構造。
【請求項５】
前記中間床部には、透明又は半透明の間仕切りが立設されることを特徴とする請求項１乃至請求項４のいずれか一項に記載の建物の空間構造。
【請求項６】
前記踊り場に連続する第１中間床部と、
該第１中間床部のすぐ下の階の床、又は、すぐ上の階の床、に連続する第２中間床部と、によって挟まれる空間を、
収納室として利用することを特徴とする請求項１乃至請求項５のいずれか一項に記載の建物の空間構造。
【請求項７】
前記建物の鉛直空間の最上階の天井面には、前記階段の直上に位置する天窓が設けられることを特徴とする請求項１乃至請求項６のいずれか一項に記載の建物の空間構造。
【請求項８】
前記建物の側壁面には、前記中間床部に適した高さの窓が設けられることを特徴とする請求項１乃至請求項７のいずれか一項に記載の建物の空間構造。
【請求項９】
前記建物の最上階の床面と天井面との間の高さに設けられる前記中間床部には、
該中間床部を利用するための昇降手段が設けられることを特徴とする請求項２に記載の建物の空間構造。
【請求項１０】
前記建物の最下階の床下に、暖冷房システムを備えることを特徴とする請求項１乃至請求項９のいずれか一項に記載の建物の空間構造。
【発明の詳細な説明】
【技術分野】
【０００１】
本発明は、建物の内部空間を有効に利用できる建物の空間構造に関するものである。
【背景技術】
【０００２】
従来、図１８に示すような蔵型収納室ｂを設けた平屋建物ａが、知られている（例えば、特許文献１等参照）。
【０００３】
このような平屋建物ａでは、玄関ｃのある第一層ｄには、リビングｅが連続して設けられていて、このリビングｅの床部ｅ１から、リビング内階段ｆによって、半階上がった位置に第二層ｇが設けられている。
【０００４】
この第二層ｇには、居室ｈが設けられると共に、更に、この第二層ｇよりも半階上がった位置であって、玄関ｃ上に位置する第三層ｉには、階段ｋから昇降可能な居室ｊが設けられている。
【０００５】
そして、この第二層ｇの居室ｈの床部ｈ１の床下には、前記大型収納区画を構成する蔵型収納室ｂが設けられている。
【０００６】
この蔵型収納室ｂの出入口ｌは、第１層上のリビングｅに面して設けられていて、床部ｂ１の高さ位置が、前記リビングｅの床部ｅ１の高さ位置と面一となるように構成されている。
【０００７】
また、折り返し階段の踊り場を奥行き方向に広く設定して、スペースとして活用する建物の空間構造が、知られている（例えば、特許文献２，３等参照）。
【０００８】
更に、その折り返し階段の踊り場の下方に床面が、下階床面より低い位置となるように構成された床下収納室が設けられた建物の空間構造も知られている（例えば、特許文献４等参照）。
【特許文献１】特開２００５−９７９３２号公報
【特許文献２】特開平１０−３１７６２７号公報
【特許文献３】特開平１１−３３６３４４号公報
【特許文献４】特開平１０−３１７６８９号公報
【発明の開示】
【発明が解決しようとする課題】
【０００９】
しかしながら、前記した特許文献１〜４の構成では、居室からアクセスすることが可能ではあるが、必ずしもアクセス性が良好であるとはいえなかった。
【００１０】
したがって、例えば３階建ての建物の場合、２階にＬＤＫを有していると、２階のＬＤＫに人やものが集中する傾向があった。
【００１１】
このように人やものが集中すると、１階や３階が有効に活用できないため、狭い空間がより狭く感じられることとなる。
【００１２】
加えて、従来の構成では、居住者の好みに応じて中間床部の位置を設定できるものでもなかった。
【００１３】
そこで、本発明は、各階からのアクセス性が良好であるとともに、居住者の好みに応じて中間床部の位置を設定できる建物の空間構造を提供することを目的としている。
【課題を解決するための手段】
【００１４】
前記目的を達成するために、本発明の建物の空間構造は、踊り場を有する階段を備える３階以上の建物の空間構造であって、最下階の床面から最上階の天井面までに渡って鉛直空間が形成され、該鉛直空間には、手摺部に沿って半透明の目隠し部材が設けられた前記階段が設けられ前記踊り場の階段昇降方向と平面視で平行する辺に連続する中間床部が前記鉛直空間内の少なくとも１階と２階の中間及び２階と３階の中間に設けられ、前記中間床部の間の高さは居室と略同一となるように設けられ、前記中間床部と前記階段及び前記居室との間には手摺部が設けられるとともに、前記居室には前記中間床部に対して前記階段を挟む位置に手摺部に沿って半透明の目隠し部材が設けられた床面が設けられることを特徴とする。
【００１５】
さらに、前記鉛直空間には、最上階の床面から天井面までの間に中間床部を設けることができる。
【００１６】
また、前記中間床部は、前記鉛直空間における取付け位置を変えることができる着脱手段を備えることが好ましい。
【００１７】
そして、前記踊り場及び該踊り場に連続する前記中間床部は、階高の略半分の高さに設置されることが好ましい。
【００１８】
さらに、前記中間床部には、透明又は半透明の間仕切りが立設されることが好ましい。
【００１９】
また、前記踊り場に連続する第１中間床部と、該第１中間床部のすぐ下の階の床、又は、すぐ上の階の床、に連続する第２中間床部と、によって挟まれる空間を、収納室として利用することができる。
【００２０】
そして、前記建物の鉛直空間の最上階の天井面には、前記階段の直上に位置する天窓を設けることができる。
【００２１】
また、前記建物の側壁面には、前記中間床部に適した高さの窓を設けることが好ましい。
【００２２】
さらに、前記建物の最上階の居室の床面と天井面との間の高さに設けられる前記中間床部には、該中間床部を利用するための昇降手段が設けることができる。
【００２３】
そして、前記建物の最下階の床下に、暖冷房システムを備えることが好ましい。
【発明の効果】
【００２４】
このように、本発明の建物の空間構造は、鉛直空間が形成され、該鉛直空間には、前記階段が設けられるとともに、例えば居住者の選択によって、前記踊り場に連続する中間床部が設けられることを特徴としている。
【００２５】
したがって、中間床部が設けられた階の居室などからのアクセス性が良好となる。また、中間床部を下階の居室と上階の居室に面して設けることでコミュニケーションも行い易くなり、下階の居室と上階の居室との一体感を高めることができる。
【００２６】
加えて、居住者の選択によって、各階の床又は前記踊り場に連続する中間床部が設けられるため、居住者の好みに応じた住空間を提供することができる。
【００２７】
さらに、前記鉛直空間には、最上階の床面から天井面までの間に中間床部を設けることで、最下階から最上階まで同様の構成を備える中間床部を設置できるため、中間床部の組み合わせの自由度が大きくなる。
【００２８】
また、中間床部が鉛直空間における取付け位置を変えることができる着脱手段を備えることによって、居住者の好みに応じて中間床部の位置を変えることができるため、大掛かりな工事を必要とせずにライフスタイルに応じた自由な空間を提供することができる。
【００２９】
そして、踊り場及びこの踊り場に連続する中間床部は、階高の略半分の高さに設置されることで、下階の居室と上階の居室の両方の居室からのアクセス性が良好でコミュニケーションも行い易い中間床部となる。
【００３０】
さらに、中間床部には、居室などとの間に透明又は半透明の間仕切りが立設されることで、私的領域を確保しつつ、居室との一体感を高めることができるうえに、鉛直空間を通じて採光することができる。
【００３１】
また、踊り場に連続する第１中間床部と、この第１中間床部のすぐ下の階の居室の床、又は、すぐ上の階の居室の床、に連続する第２中間床部と、によって挟まれる空間を、収納室として利用することで、下階の居室と上階の居室の両方から近い位置で収納物を効率的に収納することができる。
【００３２】
そして、建物の鉛直空間の最上階の天井面には、階段の直上に位置する天窓を設けることによって、この天窓から鉛直空間を通じて建物全体に採光や採風をすることができる。
【００３３】
また、建物の側壁面には、中間床部に適した高さの窓を設けることによって、中間床部に採光できるうえに、下階の居室にも採光できる。
【００３４】
さらに、建物の最上階の居室の床面と天井面との間の高さに設けられる中間床部には、中間床部を利用するための昇降手段を設けることで、ロフトとして利用できる。
【００３５】
そして、建物の最下階の床下に、暖冷房システムを備えることで、鉛直空間を利用して、建物全体を快適な温度や湿度に保つことができる。
【発明を実施するための最良の形態】
【００３６】
以下、本発明の最良の実施の形態について図面を参照して説明する。
【００３７】
まず、図２を用いて本発明の建物の空間構造Ｓを備える建物としてのユニット建物１の全体構成を説明する。
【００３８】
なお、本実施の形態では、建物としてのユニット建物１が３階建ての場合を例として説明するが、これに限定されるものではなく、４階建て以上でもよい。
【００３９】
本発明のユニット建物１は、図２に示すように、１階の居室ユニット１１，・・・と、２階の居室ユニット１２，・・・と、３階の居室ユニット１３，・・・と、１階の階段ユニット２１，・・・と、２階の階段ユニット２２，・・・と、３階の階段ユニット２３，・・・と、を備えている。
【００４０】
そして、図２に示すように、この居室ユニット１１，１２，１３と、階段ユニット２１，２２，２３とは、ユニットの長辺方向が互いに直交する方向に設置されている。
【００４１】
これらの居室ユニット１１，１２，１３は、それぞれ、図示しない４本の柱と、これらの柱の下端を連結する４本の床梁と、上端を連結する４本の天井梁と、を備える骨組構造として形成されている。
【００４２】
さらに、１階の居室ユニット１１は、水平方向に３つ連結されて、図１，３に示すように、建物の１階部分を形成している。このように、各居室ユニット１１が連結されることによって、それぞれの床が連結されて、１階の床面１１０を形成している。
【００４３】
同様に、図１，３に示すように、２階の居室ユニット１２の床が連結されて２階の床面１２０を形成し、３階の居室ユニット１３の床が連結されて３階の床面１３０を形成している。
【００４４】
また、階段ユニット２１，２２，２３は、それぞれ、図示しない４本の柱と、これらの柱の下端を連結する４本の床梁と、上端を連結する４本の天井梁と、を備える骨組構造として形成されている。
【００４５】
そして、この階段ユニット２１，２２，２３は、全体として最下階である１階の階段ユニット２１の床面１１０から、最上階である３階の階段ユニット２３の天井面１４０までに渡って鉛直空間Ａを形成している。
【００４６】
この階段ユニット２１，２２は、図１に示すように、それぞれ、１階から２階へ上がる階段２１０と、２階から３階へ上がる階段２２０を備えている。
【００４７】
さらに、階段ユニット２１，２２，２３は、それぞれ、１階の床面１１０と２階の床面１２０の中間に位置する中間床部３１と、２階の床面１２０と３階の床面１３０の中間に位置する中間床部３２と、３階の床面１３０と３階の天井面１４０との中間に位置する中間床部３３と、を備えている。
【００４８】
そして、本実施の形態の建物の空間構造Ｓは、この中間床部３３の上方の空間をロフトとして利用するための昇降手段として梯子３３２を備えている。
【００４９】
以下、図４を用いて、同様の構成を備える階段２１０，２２０について、代表して１階から２階へ上がる階段２１０の構成について説明する。
【００５０】
この階段２１０は、踊り場２１１と、この踊り場２１１と１階の床面１１０とを繋ぐ下階段２１０ａと、この踊り場２１１と２階の床面１２０とを繋ぐ上階段２１０ｂと、を備えている。
【００５１】
この踊り場２１１は、１階の居室ユニット１１の床面１１０から、すぐ上の階である２階の居室ユニット１２の床面１２０までの高さの略半分の高さに設置されている。
【００５２】
また、下階段２１０ａと上階段２１０ｂは、踊り場２１１を介して１８０度反転した方向に形成されている。
さらに、この下階段２１０ａや上階段２１０ｂは、図４に示すように、複数の踏み板５１，・・・を一定間隔で支持する金属フレーム製の一対のササラ桁材５２，５２と、この下階段２１０ａの両側縁に沿って立設された手摺部５３，５３と、を主に備えて構成されている。
【００５３】
また、階段２１０の踏み板５１，・・・の間には、蹴板が設けられないで開放されている。
【００５４】
そして、本実施の形態の建物の空間構造Ｓは、踊り場２１１の階段昇降方向と平面視で平行する辺に、この踊り場２１１と略同一高さに、この踊り場２１１に連続して中間床部３１が設けられている。
【００５５】
さらに、本実施の形態の建物の空間構造Ｓは、以下に示すような着脱手段を備えている。
【００５６】
これらの踊り場２１１と中間床部３１は、図５〜９に示すような外壁パネル６１と内壁材６２との間の空間に設けられて、上梁フレーム部材７６と下梁フレーム部材７７とを連結する中柱部材７８，７９・・・の側面から突設されて、一体に設けられるフレーム受け金物部材８０，・・・によって、下方から支持されている。
【００５７】
つまり、この中柱部材７８，７９は、図７に示すように、建物内側に開いた断面略コ字状を呈しており、複数のボルト部材８３，・・・とナット部材８４，・・・によって、内側に係合される前記フレーム受け金物部材８０，・・・をそれぞれ締結固定するように構成されている。
【００５８】
このフレーム受け金物部材８０には、内壁材６２を貫通する桁取付金物部８０ａが突設されている。
【００５９】
そして、桁取付金物部８０ａの上面８０ｂに、図８，９に示すように、踊り場２１１又は中間床部３１の下面側に一定間隔を置いて並設された根太フレーム部材８７・・・が、上方から嵌着されて、それぞれ連結部材８５，固定板材８６及びスペーサ部材８９などを介して、ボルト部材８３，ナット部材８４及び、複数の取付ビス部材８８，・・・によって、固定されている。
【００６０】
このような踊り場２１１及び中間床部３１の取付けについての構成は、２階と３階の間の踊り場２２１及び中間床部３２や、３階の中間床部３３についても同一である。
【００６１】
また、本実施の形態の建物の空間構造Ｓは、図１０，１１に示すように、階段２１０の側縁に沿って設けられた手摺部５３，５３に、半透明の間仕切りとしての目隠し板材６４，・・・が複数枚装着されている。
【００６２】
同様に、本実施の形態の建物の空間構造Ｓは、図１０，１１に示すように、中間床部３２と居室ユニット１１との境界に、半透明の間仕切りとしての目隠し板材６５，・・・が複数枚装着されている。なお、この間仕切りとしての目隠し板材６５には、透明の間仕切りを用いることもできる。
【００６３】
次に、本実施の形態の建物の空間構造Ｓの作用について説明する。  このように、本発明の建物の空間構造Ｓは、最下階である１階の床面１１０から最上階である３階の天井面１４０までに渡って鉛直空間Ａが形成されるとともに、鉛直空間Ａは、階段２１０，２２０と、踊り場２１１，２２１に連続する中間床部３１，３２と、３階の床面１３０と３階の天井面１４０との略中間の高さに形成される中間床部３３と、を備えることを特徴としている。
【００６４】
したがって、中間床部３１，３２，３３への居室ユニット１１，１２，１３からのアクセス性が良好となることで、下階の居室と上階の居室との一体感を高めることができる。
【００６５】
このように、各階を連繋するアクセス性が良好になることによって、各階を空間的にも心理的にも分断することがない。このため、孤立感の高い１，３階の寂しさや、そこからくる移動の大儀さによって、２階ＬＤＫへの人やものの集中を防止できる。また、中間床部３１，３２，３３を居室ユニット１１，１２，１３に面して設けることでコミュニケーションも行い易くなる。
【００６６】
さらに、鉛直空間Ａには、最上階である３階の居室ユニット１３の床面１３０から天井面１４０までの間に中間床部３３を設けることで、最下階である１階から最上階である３階まで同様の構成を有する中間床部３１，３２，３３を設置できるため、中間床部３１，３２，３３の組み合わせの自由度が大きくなる。
【００６７】
結果として、本実施の形態のユニット建物１では、居住者は、中間床部を設置する位置として、踊り場２１１，２２１の２箇所と、床面１２０，１３０の２箇所と、３階の中間部の１箇所、の合計５箇所の中から選定することができる。したがって、２の５乗である３２通りの鉛直空間Ａを創出することができる。
【００６８】
また、中間床部３１，３２，３３は、ユニット建物１に対する取付け位置を変えることができる根太フレーム８７を備えることによって、居住者の好みに応じて中間床部３１，３２，３３の位置を変えることができるため、ライフスタイルに応じた自由な空間を提供することができる。
【００６９】
すなわち、中間床部３１，３２，３３の床を支える根太フレーム８７は、ユニット建物１の側に設けたフレーム受け金物部材８０に固定されることによって支持される。ここにおいて、このフレーム受け金物部材８０は、簡易な構造であるため、階段ユニット２１，２２，２３の任意の位置に取り付けることができる。
【００７０】
したがって、あらかじめフレーム受け金物部材８０を複数箇所に設置しておくことによって、複数の位置の中から中間床部３１，３２，３３の位置を選定することが可能となる。
【００７１】
そして、踊り場２１１及び中間床部３１は、一方の居室である１階の居室ユニット１１の床面１１０から、すぐ上の他方の居室である２階の居室ユニット１２の床面１２０までの高さの略半分の高さに設置されることで、両方の居室ユニット１１，１２からのアクセス性が良好な中間床部３１となる。
【００７２】
加えて、このようにアクセス性が良好な中間床部３１を備えることによって、１階の居室ユニット１１と２階の居室ユニット１２との間に、新たな居室空間として中間床部３１を形成することができるため、１階と２階とを分断することがなく、空間的にも心理的にも連繋することが可能となる。
【００７３】
すなわち、図１０，１１に示したように、例えば、２階の居室ユニット１２の床面１２０と、中間床部３１との物理的な距離が短くなることによって、人と人との距離が近くなるため、心理的にも安心感を得ることができる。
【００７４】
さらに、中間床部３１には、居室ユニット１１，１２との間に透明又は半透明の間仕切り６５，・・・が立設されることで、私的領域を確保しつつ、居室ユニット１１，１２との一体感を高めることができるうえに、鉛直空間Ａから採光することができる。
また、本実施の形態では、半透明の目隠し部材６４，６５・・・が、図１０，１１に示すように、階段２２０の下階段部２２０ａ及び上階段部２２０ｂの側縁部に設けられた手摺部５３，５３に沿って、踊り場２１１を中心として、斜め上，下に延設されるように設けられている。
【００７５】
このため、これらの目隠し部材６５・・・によって、中間床部３１が、１階の居室ユニット１１や２階の居室ユニット１２の方向から、視覚において半遮蔽されつつ、気配を感じられる程度の連続性が得られる。
【００７６】
しかも、これらの目隠し部材６４，６５は、半透明であるので、開放感が損なわれることもない。
【００７７】
さらに、本実施の形態では、階段２１０の各段の板材間が、開放された開口部形状を呈しているため、いっそう開放感を向上させることができる。
【００７８】
そして、本実施の形態の建物の空間構造Ｓは、図１２に示すように、中間床部３１，３２，３３を備えることによって、この中間床部３１，３２，３３に挟まれた空間３４，３５は、居室ユニット１１，１２，１３と略同一の天井高さを得ることができる。したがって、この空間３４，３５は、従来型の踊り場と比べると、きわめて居住性が高いといえる。
【００７９】
すなわち、居室ユニット１１，１２，１３の天井高さは、同一に形成されているため、中間に設けられた中間床部３１，３２，３３の間の高さは、これらの居室ユニット１１，１２，１３と同一となる。
【００８０】
このように、居室ユニット１１，１２，１３の天井高さと同一の天井高さを備える空間３４，３５は、天井高さが低いことによる圧迫感を受けることなく、居室ユニット１１，１２，１３と同様の快適性を備えることとなる。
【００８１】
そして、上記したような建物の空間構造Ｓを備えることによって、以下のような効果がある。
【００８２】
すなわち、第一に、立体的な空間の広がりと家族のコミュニケーションが促進される。また、第二に、限られた広さでも吹抜け効果で広々感が得られるとともに通風・採光が向上する。さらに、第三に、半階移動で上下移動の負担が軽減、家事が効率化する。そして、第四に、家族の変化にもフレキシブルに対応できる。  そして、上記したように、大都市の近郊や郊外の小規模な敷地に対応した建物の空間構造Ｓを備えることによって、どこにいても家族とつながっている、しかも快適さを高いレベルで維持できる、という新しい住宅のスタイルを創出できる。
【実施例１】
【００８３】
以下、図１３を用いて、前記実施の形態とは別の形態の建物の空間構造Ｓ１を備えるユニット建物１について説明する。
【００８４】
なお、前記実施の形態で説明した内容と同一乃至均等な部分の説明については同一符号を付して説明する。
【００８５】
前記実施の形態では、中間床部３１，３２，３３が各階の中間に設けられる場合について説明したが、本実施例では、２階から３階へ上がる階段２２０の踊り場２２１に連続する中間床部３２のみが設けられる場合について説明する。
【００８６】
まず、構成から説明すると、本実施例の建物の空間構造Ｓ１は、図１３に示すように、鉛直空間Ａに、２階から３階へ上がる階段２２０の中間の踊り場２２１に連続する中間床部３２のみが設けられる。
【００８７】
したがって、この中間床部３２の下には、最下階である１階の床面１１０までの間に鉛直方向に広い空間３６が形成されるとともに、中間床部３２の上には、最上階である３階の天井面１４０までの間に鉛直方向に広い空間３７が形成される。
【００８８】
そして、このように、階段２１０，２２０のすぐ横に広い空間３６，３７が形成されることで、階段２１０，２２０がオープン階段としての機能を有することとなるうえに、広い空間３６，３７が吹抜けとしての機能を有することとなる。
【００８９】
そのため、居住者は、このオープン階段としての機能と吹抜けとしての機能とによって、相乗的な開放感を得ることができる。
【００９０】
なお、この他の構成および作用効果については、前記実施の形態と略同様であるため説明を省略する。
【実施例２】
【００９１】
以下、図１４，１５を用いて、前記実施の形態及び実施例１とは別の形態の建物の空間構造Ｓ２，Ｓ３を備えるユニット建物１について説明する。
【００９２】
なお、前記実施の形態で説明した内容と同一乃至均等な部分の説明については同一符号を付して説明する。
【００９３】
本実施例では、図１４，１５に示すように、建物の空間構造Ｓ２，Ｓ３が、鉛直空間Ａに、１階から２階へ上がる階段２１０の踊り場２１１に連続する第１の中間床部としての中間床部３１と、２階の床面１２０に連続する第２の中間床部としての中間床部３１５と、２階から３階へ上がる階段２２０の踊り場２２１に連続する第１の中間床部としての中間床部３２と、３階の床面１３０に連続する第２の中間床部としての中間床部３２５と、が設けられている。
【００９４】
そして、図１４では、それぞれの階の中間に設けられた中間床部３１，３２，３３の上が図示しない間仕切りによって区切られて収納空間３８，３９，４０として利用される。
【００９５】
したがって、図１４に示した建物の空間構造Ｓ２では、上階及び下階の両方から、直接的にアクセスできる、生活動線に近接した収納空間３８，３９，４０を得ることができる。
【００９６】
同様に、図１５では、中間床部３１，３２，３３の下が図示しない間仕切りによって区切られて収納空間４１，４２，４３として利用される。
【００９７】
したがって、図１５に示した建物の空間構造Ｓ３では、それぞれの階の床面１１０，１２０，１３０に近接した収納空間４１，４２，４３を備えるため、重いものを収納する場合でも、収納が容易である。
【００９８】
加えて、踊り場２１１，２２１が床の厚さ分だけ上方にずれて設置されている場合には、上記した上の収納空間３８，３９，４０よりも下の収納空間４１，４２，４３のほうが容積が大きくなるため、大容量の収納を確保することができる。
【００９９】
さらに、これらの収納空間３８，３９，４０，４１，４２，４３は、収納空間として同時に利用すれば、きわめて容量の大きい収納空間とすることができる。
【０１００】
なお、この他の構成および作用効果については、前記実施の形態と略同様であるため説明を省略する。
【実施例３】
【０１０１】
以下、図１６を用いて、前記実施の形態及び実施例１，２とは別の形態の建物の空間構造Ｓ４を備えるユニット建物１について説明する。
【０１０２】
なお、前記実施の形態で説明した内容と同一乃至均等な部分の説明については同一符号を付して説明する。
【０１０３】
本実施例では、前記実施の形態及び実施例１，２と異なり、最上階である３階の天井面１４０に天窓としての起風天窓１３２を設ける場合について説明する。
【０１０４】
まず、構成から説明すると、図１６（ａ），（ｂ）に示す本実施例の建物の空間構造Ｓ４は、最上階である３階の天井面１４０に設けられる天窓としての起風天窓１３２と、各階段ユニット２１，２２，２３の側壁面に設けられる窓１１１，１２１，１３１と、を備えている。
【０１０５】
この起風天窓１３２は、最上階である３階の天井面１４０に設けられるもので、鉛直空間Ａの階段２１０，２２０の直上に位置している。
【０１０６】
また、窓１１１，１２１，１３１は、１階の居室ユニット１１の床面１１０や中間床部３１，３２に適した高さとなっている。
【０１０７】
すなわち、窓１１１は、１階の床面１１０に近接して設けられるとともに、窓１２１，１３１は、それぞれの空間の高さの半分より上寄りに設けられることで、採風や採光に適した高さとなっている。
【０１０８】
このように、開放された鉛直空間Ａに、起風天窓１３２と、窓１１１，１２１，１３１と、を備えることで、図１６（ａ）に示す矢印のように、外光を取り込むことができる。
【０１０９】
つまり、階高の略半分だけ上方にずれた中間床部３１，３２に窓を設けることで、１階の居室ユニット１１や２階の居室ユニット１２に斜め上方から外光を取り込むことができる。
【０１１０】
加えて、天井面１４０に設けた起風天窓１３２からも外光を取り込むことで、吹抜けとなった鉛直空間Ａを通じて、外光がユニット建物１の全体に広がる。
【０１１１】
このようにユニット建物１の全体に外光が広がることで、明るく快適な住み心地の建物を提供することができる。
【０１１２】
また、起風天窓１３２を備えることによって、図１６（ｂ）に示すように、ユニット建物１の内部にこもった熱を鉛直空間Ａを通じて排熱することができる。
【０１１３】
一方、図１６（ｃ）に示す本実施例の建物の空間構造Ｓ４は、最下階である１階の床下１５に、暖冷房システム１６を備えている。
【０１１４】
したがって、この暖冷房システム１６によって、床下１５から１階の床（床面１１０）を暖めると、矢印に示すように空気が循環して鉛直空間Ａを通じてユニット建物１を全体的に暖めることが可能となる。
【０１１５】
なお、この他の構成および作用効果については、前記実施の形態と略同様であるため説明を省略する。
【０１１６】
以上、図面を参照して、本発明の最良の実施の形態及び実施例を詳述してきたが、具体的な構成は、この実施の形態又は実施例に限らず、本発明の要旨を逸脱しない程度の設計的変更は、本発明に含まれる。
【０１１７】
例えば、本実施の形態では、図２に示すように、居室ユニット１１，・・・，１２，・・・，１３，・・・の短辺方向の一側面に階段ユニット２１，２２，２３を設置する場合について説明したが、これに限定されるものではなく、図１７に示すように、階段ユニット２１，２２，２３の両側に居室ユニット１１，・・・，１２，・・・，１３，・・・を備えるものでもよい。そして、本実施の形態では階段ユニット内には階段のみを設置したユニットについて説明したが、居室や水周り設備等が同一のユニットに含まれるものとしてもよい。
【０１１８】
また、本実施の形態及び実施例１，２，３では、建物としてユニット建物１を用いて場合について説明したが、これに限定されるものではなく、鉄骨軸組み工法、木造在来工法、木質パネル工法などのあらゆる工法の建物についても適用できる。
【０１１９】
さらに、本実施の形態及び実施例１，２，３では、階段２１０，２２０の踊り場２１１，２２１が階高さの略半分の高さに設置される場合について説明したが、これに限定されるものではなく、床の厚さの分だけ上にずれるものなど、どのような高さに設置されるものであってもよい。
【０１２０】
そして、本実施の形態及び実施例１，２，３では、透明又は半透明の間仕切り６４，６５が設置される場合について説明したが、これに限定されるものではなく、格子状の間仕切りや、着色された間仕切りなどを備えるものであってもよいし、間仕切りを設けないものであってもよい。
【０１２１】
そして、本実施の形態及び実施例１，２，３の階段に限定されるものではなく、螺旋階段や、Ｌ字状階段など形状、段数及び材質を変更したものであってもよい。また、階段と中間床との位置関係は本実施の形態に限定されるものではなく、折り返し階段に挟まれた部分に中間床を設けるものであってもよい。
【図面の簡単な説明】
【０１２２】
【図１】本発明の最良の実施の形態の建物の空間構造を備えるユニット建物の構成を説明する説明図である。
【図２】本発明の最良の実施の形態の建物の空間構造を備えるユニット建物の全体構成を説明する斜視図である。
【図３】図１に直交する方向から見たユニット建物の構成を説明する説明図である。
【図４】本発明の最良の実施の形態の建物の空間構造の構成を詳細に説明する斜視図である。
【図５】本発明の最良の実施の形態の建物の空間構造において、桁側壁面の内部構成を説明する内壁面材を取り外した状態の正面図である。
【図６】本発明の最良の実施の形態の建物の空間構造において、妻側壁面の内部構成を説明する内壁面材を取り外した状態の正面図である。
【図７】本発明の最良の実施の形態の建物の空間構造において、壁面部に踊り場又は中間床部が接続される部位の構成を詳細に説明する鉛直上方から見た拡大断面図である。
【図８】本発明の最良の実施の形態の建物の空間構造において、壁面部に踊り場又は中間床部が接続される部位の構成を詳細に説明する水平側方から見た拡大断面図である。
【図９】本発明の最良の実施の形態の建物の空間構造において、壁面部から突設されるフレーム受け金物部材の構成を詳細に説明する正面図である。
【図１０】本発明の最良の実施の形態の建物の空間構造を階段正面から見た斜視図である。
【図１１】本発明の最良の実施の形態の建物の空間構造を階段脇から見上げた斜視図である。
【図１２】本発明の最良の実施の形態の建物の空間構造の作用を説明する説明図である。
【図１３】本発明の実施例１の建物の空間構造の構成及び作用を説明する説明図である。
【図１４】本発明の実施例２の建物の空間構造の構成及び作用を説明する説明図である。
【図１５】本発明の実施例３の建物の空間構造の構成及び作用を説明する説明図である。
【図１６】本発明の実施例３の建物の空間構造の構成及び作用を説明する説明図である。（ａ）は採光について、（ｂ）は排熱について、（ｃ）は床下の暖冷房システムについて説明する説明図である。
【図１７】本発明の一実施例の建物の空間構造を備えるユニット建物の全体構成を説明する斜視図である。
【図１８】従来例の建物について内部構造の全体構成を説明する縦断面図である。
【符号の説明】
【０１２３】
Ａ            鉛直空間
Ｓ，Ｓ１，Ｓ２，Ｓ３，Ｓ４  建物の空間構造
１            ユニット建物（建物）
１１０，１２０，１３０  床面
１４０        天井面
１５          床下
１６          暖冷房システム
２１          １階の階段ユニット
２２          ２階の階段ユニット
２３          ３階の階段ユニット
２１０，２２０  階段
２１１，２２１  踊り場
３１，３２，３３  中間床部
３１５，３２５    中間床部
３４，３５，３６，３７  空間
３８，３９，４０        空間
４１，４２，４３        空間
６４，６５    目隠し板材（間仕切り）
８７          根太フレーム部材
１３１        窓
１３２        起風天窓（天窓）
【図１】
0004388971.tif 000002
【図２】
0004388971.tif 000003
【図３】
0004388971.tif 000004
【図４】
0004388971.tif 000005
【図５】
0004388971.tif 000006
【図６】
0004388971.tif 000007
【図７】
0004388971.tif 000008
【図８】
0004388971.tif 000009
【図９】
0004388971.tif 000010
【図１０】
0004388971.tif 000011
【図１１】
0004388971.tif 000012
【図１２】
0004388971.tif 000013
【図１３】
0004388971.tif 000014
【図１４】
0004388971.tif 000015
【図１５】
0004388971.tif 000016
【図１６】
0004388971.tif 000017
【図１７】
0004388971.tif 000018
【図１８】
0004388971.tif 000019